(57)【特許請求の範囲】
【請求項１】
元竿の握り部より竿尻側に寄った後端部分に、バランスウエイト機構を前記元竿の竿軸線に直交する横軸芯回りで相対揺動可能に吊り下げ支持してある釣り竿のバランスウエイト取付構造。
【請求項２】
前記バランスウエイト機構を吊り下げ支持する吊り下げ基準位置から、前記バランスウエイト機構が元竿から離脱すべく移動する誘導溝を形成してある請求項１記載の釣り竿のバランスウエイト取付構造。
【請求項３】
前記バランスウエイト機構が複数個のバランスウエイトを鎖状に連結して構成されたものである請求項１又は２記載の釣り竿のバランスウエイト取付構造。
【請求項４】
前記バランスウエイト機構を元竿に対してその円周方向に沿って自由移動可能に取付構成してある請求項１記載の釣り竿のバランスウエイト取付構造。
【発明の詳細な説明】
【技術分野】
【０００１】
本発明は、元竿の竿尻端にバランスウエイト機構を装備している釣り竿のバランスウエイト取付構造に関する。
【背景技術】
【０００２】
元竿を把持して釣り操作を行う場合に、元竿から穂先竿までの長さと、元竿における握り位置から元竿尻端までの長さがバランスを欠くことが多いが、このような場合には、仕掛けの投入や釣上げ時の操作に違和感を生ずることとなる。一方、鮎竿のように元竿から穂先竿までの長さが長い釣り竿においては、元上竿から穂先竿までの重量とそれらの重量に起因するモーメントが作用するために、鮎竿を水平姿勢かそれに近い斜め姿勢にして魚の当りを待つ場合では、穂先竿までの重量とそれらのモーメントが元竿の握り部を握っている釣り人の手に作用する。そうすると、それらの重量及びモーメントに抗して鮎竿を支える必要があるために、手に大きな反力が持ち重り感となって感じ取られることとなる。
このような持ち重り感や違和感を解消する為に、元竿の握り部より後方側の内部空間内にバランサーを収納していた（特許文献１参照）。
【０００３】
【特許文献１】特開２００１−２６９０８４号公報（段落番号〔００１４〕、〔００１５〕、及び、図２〜５）
【発明の開示】
【発明が解決しようとする課題】
【０００４】
上記構成によって、ある程度の持ち重り感は解消できるのであるが、重量のアンバランスを解消する為に、バランサーの数を多くしようとしても、バランサーを収納できるのは、元竿の竿尻端から元竿の握り部に対応する位置までの短い区間に限られるので、元竿内に収納できるバランサー量には限度がある。
したがって、元竿内をバランサーの設置場所とする限りにおいては、長い竿においては、十分なバランス量を確保できないことも考えられる。
【０００５】
本発明の目的は、穂先竿までの長さが長いものであっても、十分なバランサー量を確保でき、竿の姿勢変更に対応して下向き姿勢を維持する釣り竿のバランスウエイト取付構造を提供する点にある。
【課題を解決するための手段】
【０００６】
〔構成〕
請求項１に係る発明の特徴構成は、元竿の握り部より竿尻側に寄った後端部分に、バランスウエイト機構を前記元竿の竿軸線に直交する横軸芯回りで相対揺動可能に吊り下げ支持してある点にあり、その作用効果は次の通りである。
【０００７】
〔作用〕
つまり、元竿の必要な箇所にバランスウエイト機構を吊り下げ支持する構成を採ることによって、元竿内部にバランスウエイトを収納して装備する場合のように設置長さの制約はなく、十分な量のバランスウエイトを吊下げ支持することができる。
しかも、バランスウエイト機構は元竿の竿軸線に直交する横軸芯回りで相対揺動可能に吊下げ支持されているので、釣り竿を略水平姿勢に近い姿勢にして当りを待つ場合には、バランスウエイト機構は釣り竿に対して直交する垂直姿勢となる。このように、垂直姿勢となることによって、元竿から穂先竿までの重量とバランスする重量を元竿に付与することとなる。
一方、釣り竿を垂直に近い姿勢にして、魚を取り込む場合には、バランスウエイト機構は釣り竿の軸線に沿った垂直姿勢になっている。この場合には、釣り竿とバランスウエイト機構とが一直線上に位置するので、それらの重量を釣り人が支える必要はあるが、水平姿勢の場合に生じていたモーメントが元竿を持つ釣り人の手に作用することはない。
【０００８】
〔効果〕
したがって、釣り竿の長さに対応した十分なバランス量を確保できるものでありながら、バランスウエイト機構を釣り竿の姿勢に対応して姿勢を変更することができ、必要な場合にのみバランスウエイトとしての機能を発揮させることのできるものを提供できるに至った。
【０００９】
請求項２に係る発明の特徴構成は、請求項１に係る発明において、前記バランスウエイト機構を吊り下げ支持する吊り下げ基準位置から、前記バランスウエイト機構が元竿から離脱すべく移動する誘導溝を形成してある点にあり、その作用効果は次の通りである。
【００１０】
〔作用効果〕
つまり、誘導溝を通してバランスウエイト機構を釣り竿から取外すことができるので、バランスウエイト機構を吊り下げ基準位置に位置させてバランス機能を発揮させながら、バランス機能を発揮させる必要はない場合には、取外すことができる。
釣り竿を水平姿勢にして当りを待つ間はバランスウエイト機構を吊り下げ基準位置に位置させてバランス機能を発揮させながら、釣り竿を垂直姿勢にして魚を釣上げる場合には、バランス機能を発揮させる必要はないので、取外すことができる。
【００１１】
請求項３に係る発明の特徴構成は、請求項１又は２に係る発明において、前記バランスウエイト機構が複数個のバランスウエイトを鎖状に連結して構成されたものである点にあり、その作用効果は次の通りである。
【００１２】
〔作用効果〕
このような鎖状のものに構成すると、バランスウエイト自体は固体で出来ていても、バランスウエイト機構が姿勢や形状を変形し易いものとなるので、釣り操作時に邪魔になりにくく、操作が容易になる。
【００１３】
請求項４に係る発明の特徴構成は、請求項１に係る発明において、前記バランスウエイト機構を元竿に対してその円周方向に沿って自由移動可能に取付構成してある点にあり、その作用効果は次の通りである。
【００１４】
〔作用効果〕
つまり、釣り竿を左右に寝かせ操作した場合にも、バランスウエイト機構が元竿に対して円周方向に沿って自由に移動するので、バランスウエイト機構は常に元竿の下方で下向き姿勢に維持されることとなり、バランスを採る機能が十分に発揮される。
【発明を実施するための最良の形態】
【００１５】
〔第１実施形態〕
鮎竿Ａ等の多数の竿体を縦継して長竿に使用されるバランスウエイト機構Ｂについて説明する。図１及び図２に示すように、元竿１の握り部１Ｅの後端位置に尻栓５を螺着するとともに、元竿１の尻栓５の装着部位より前方に、バランスウエイト機構Ｂを吊り下げ支持してある。図２中の番号６は元上竿であり、７はゴム製の保持体であり、元上竿６を収納状態でゴム製の保持体７で元上竿６の竿尻端部を摩擦保持する構成を採っており、伸縮式の釣り竿を構成してある。
【００１６】
図１及び図２に示すように、バランスウエイト機構Ｂは、バランスウエイト２を収納したバランスウエイトケース３を吊り下げアーム４、４によって吊り下げて構成されている。一方、元竿１に、左右両横側部に取り付け用のボス部１Ａ、１Ａを形成し、ボス部１Ａに形成した係止穴に対して前記した吊り下げアーム４，４の先端を差込み装着するように構成してある。
この場合に、吊り下げアーム４、４の着脱を容易にする為に、吊り下げアーム４，４自体を弾性変形可能な金属等で形成するのが望ましい。
【００１７】
釣り操作時において、魚の当たりを待つ間は、図１（イ）に示すように、鮎竿Ａは水平に近い状態で釣り人に保持されている。そうすると、バランスウエイトケース３は円弧状の吊り下げアーム４とともに、ボス部１Ａの係止穴を中心にして下向きに揺動し、元竿１を下方に付勢する。このように、鮎竿Ａが水平に近い姿勢に維持されている場合には、元竿１を握る釣り人に穂先竿までの重量とその重量に起因するモーメントが掛かる為に、持ち重り感が大きいが、前記したように、バランスウエイトケース３が下方に位置することとなるので、前記した重量とモーメントとを緩和することができ、釣り人の持ち重り感を緩和することができるのである。
【００１８】
バランスウエイトケース３に収納するバランスウエイト２としては、金属製のバランスウエイト２を複数個収納するか、又は、水や砂等の一定の形態を有していない流体又は粉粒体状のものを収納してバランスウエイト２とすることでもよい。バランスウエイト２としては、必ずしも、鉄等の金属製の固体物には限定されない。
【００１９】
〔第２実施形態〕
バランスウエイト機構Ｂとして、複数個のバランスウエイトケース３を鎖状に連結したものについて説明する。図４に示すように、元竿１に吊り下げられる上バランスウエイトケース３Ａと、その下方に吊り下げられる中間バランスウエイトケース３Ｂと、更に、下方に吊り下げられる下バランスウエイトケース３Ｃとでバランスウエイト機構Ｂが構成される。
【００２０】
各バランスウエイトケース３Ａ、３Ｂ、３Ｃについては夫々円弧状の吊り下げアーム４が設けてあり、相手側となる元竿１、バランスウエイトケース３Ａ、３Ｂに連結するのに使用される。上バランスウエイトケース３Ａは、大吊り下げアーム４Ａによって元竿１に吊り下げ支持され、中間、下バランスウエイトケース３Ｂ、３Ｃは、小吊り下げアーム４Ｂによって元竿１に吊り下げ支持されている。
小吊り下げアーム４としては、中間部が切断されていない完全な円弧状のものであるか、又は、図４に示すように、中間部４ａが切断されたものであり、その切断された部分を相手側バランスウエイトケース３Ａ等の左右両側面に形成したボス部に差し込んで装着する構成を採るものであってもよい。
【００２１】
このような鎖状のものに構成すると、バランスウエイト２自体は固体で出来ていてもバランスウエイト機構Ｂが姿勢や形状を変形し易いものとなるので、釣り操作時に邪魔になりにくく、操作が容易になる。
第１実施形態と同様に、バランスウエイトケース３Ａ、３Ｂ、３Ｃ内には、金属製のバランスウエイト２以外に、水や砂等を利用したものを収納してもよい。また、バランスウエイトケース３Ａ等の構成としては、中間バランスウエイトケース３Ｂを一つ使用するものを示したが、必要なバランス量に応じて、同一仕様になる中間バランスウエイトケース３Ｂを複数個連設してもよい。
また、鎖状のバランスウエイト機構Ｂとしては、金属を枠状に連結した鎖を使用してもよい。
【００２２】
〔第３実施形態〕
釣り操作時における竿の姿勢によって、バランスウエイト機構Ｂが元竿１から離脱する構成を有するバランスウエイト機構Ｂについて説明する。図５に示すように、尻栓５の後端にブラケット部５Ａを突設するとともに、ブラケット部５Ａに竿軸線方向に沿った誘導溝としての切込溝５ａを形成してある。切込溝５ａの後ろ向き先端部においては、切込溝５ａをやや上向きに経路を変更して、切込溝５ａの先端開口部５ｂをやや上方に向けて開口するように形成している。
【００２３】
このような切込溝５ａを形成したブラケット部５Ａに対して、図５（イ）（ハ）に示すように、バランスウエイトケース３Ａから延出されたエンドレス円弧状の吊り下げアーム４の上端部を切込溝５ａ内に差込み装着する。また、吊り下げアーム４を切込溝５ａから抜き出せばバランスウエイトケース３Ａを取り外すことができる。
【００２４】
以上のような構成において、鮎竿Ａを水平姿勢や斜め姿勢にして当りを待つ場合には、図５（イ）（ハ）に示すように、バランスウエイト機構Ｂは前記した切込溝５ａの奥から中間部に掛けての竿軸線に沿って形成されている基準位置ａに位置して、穂先側とのバランスを採る姿勢になっている。
この待ち姿勢より針掛かりした魚を抜き上げる場合に、図５（ロ）に示すように、鮎竿Ａを垂直に近い姿勢に立てると、吊り下げアーム４が切込溝５ａの先端開口側に向けて自重で移動し、開口端より離脱する。
そうすると、釣り人はバランスウエイト機構Ｂの影響を受けることなく、取り込み操作を行うことができる。
【００２５】
〔第４実施形態〕
ここでは、元竿１に取り付けたバランスウエイト機構Ｂがその元竿１の円周方向に相対移動可能に構成するものについて説明する。図６に示すように、元竿１の外周面に円周方向に沿った環状溝を形成するとともに、前記環状溝内にチャンネル状の環状ガイドレール枠１Ｂを装着する。環状ガイドレール枠１Ｂには、外向き面に開口溝が形成されており、その開口溝を介して一対のスライド体１Ｃ、１Ｃを挿入してある。
【００２６】
これらスライド体１Ｃには環状ガイドレール枠１Ｂ内に位置する本体部から開口溝を介して外向きに取付軸部１ｂが延出してある。一方、一対のスライド体１Ｃ、１Ｃを連結するものとして半円弧板状を呈する支持フレーム８を設けてあり、この支持フレーム８の円弧状部分の頂点位置にバランスウエイトケース３を装着してある。そして、支持フレーム８の両端部８Ａ、８Ａにスライド体１Ｃ取り付け用の取付孔を形成し、この取付孔内に前記スライド体１Ｃの取付軸部１ｂを貫通支承し、取付孔より突出した取付軸部１ｂの先端をピン止めして、スライド体１Ｃと支持フレーム８とを一体化する。
【００２７】
以上のような構成によって、支持フレーム８は、スライド体１Ｃの取付軸部１ｂの軸芯回りで揺動可能である。これによって、バランスウエイトケース３は、鮎竿Ａが略水平姿勢に近い位置にある場合には、水平姿勢の元竿１の握り部１Ａの下方に位置して穂先側竿とのバランスを確保するように下向き力を加えるとともに、鮎竿Ａを水平姿勢から垂直姿勢に立てた場合には、支持アーム８がスライド体１Ｃの取付軸部１ｂの軸芯回りで揺動することによって、尻栓５の下方に位置して、バランスの崩れを阻止する。
【００２８】
一方、囮を移動させる場合等において鮎竿Ａの姿勢をやや寝かせる等の姿勢変更を行って竿軸線回りで回転操作しても、スライド体１Ｃとともにバランスウエイトケース３がガイドレール枠１Ｂに沿って竿の円周方向に沿って移動するので、バランスウエイトケース３の姿勢が常に竿の下方位置にあり、バランス機能を有効に発揮する。
【００２９】
〔第５実施形態〕
ここでは、尻栓５にバランスウエイト機構Ｂを取り付ける形態について説明する。図７（イ）に示すように、尻栓５の中心位置にバランスウエイトケース３を吊り下げ支持するに、まず、尻栓５の中心位置にネジ穴５Ｃを形成する。一方、バランスウエイトケース３を尻栓５に取り付ける為に、バランスウエイトケース３に吊下具３Ｄを設ける。この吊下具３Ｄとしては、バランスウエイトケース３を吊下げる下ブラケット３ｆと、その下ブラケット３ｆに対して横向きピン３ｂによって相対揺動自在に連結される上ブラケット３ｃと、さらに、その上ブラケット３ｃに回転自在に取り付けられているネジ軸３ｄとで構成してある。
【００３０】
図７（イ）に示すように、吊下具３Ｄのネジ軸３ｄを尻栓５のネジ穴５Ｃに捻じ込むことによって、尻栓５に吊下具３Ｄ、牽いては、バランスウエイトケース３を吊下げ支持できる。この場合に、ネジ軸３ｄと上ブラケット３ｃとが相対揺動可能に連結されているので、バランスウエイトケース３は元竿１の竿軸線周りの回転姿勢に関係なく、常に、下向きになっている。
【００３１】
次に、前記した吊下具３Ｄの一部を変更したものを説明する。図７（ロ）に示すように、尻栓５の中心位置にネジ穴５Ｃの代わりに貫通孔５Ｂを形成するとともに、上ブラケット３ｃよりその上ブラケット３ｃと一体のネジ軸（図示せず）を突設し、尻栓５の内部空間より前記ネジ軸に螺合する内側部材５ｅを貫通孔５Ｂ内に挿入して、上ブラケット３ｃより突設されたネジ軸に内側部材５ｅを螺合させて、上ブラケット３ｃを尻栓５に取付固定する。
【００３２】
そうすると、ネジで結合された上ブラケット３ｃと内側部材５ｅとは一体で貫通孔５Ｂの軸芯周りに一体で揺動する構成とできる。これによって、釣り竿が竿軸芯回りで回転しても、常に、バランスウエイトケース３は下向き姿勢にある。
【００３３】
〔別実施形態〕
上記実施形態においては、リールを使用しない鮎竿Ａ等に適用する形態について説明したが、リールを使用する長い竿に適用してもよい。その場合には、リールシートと尻栓との間にバランスウエイト機構Ｂを吊下げ支持することとなる。
【図面の簡単な説明】
【００３４】
【図１】鮎竿の元竿にバランスウエイト機構を吊り下げ支持した状態を示し、（イ）は鮎竿を水平に近い姿勢に設定した状態を示す側面図、（ロ）は鮎竿を立てた状態を示す側面図
【図２】図１（イ）におけるバランスウエイト機構の支持構造を示す縦断側面図
【図３】図１（イ）におけるバランスウエイト機構の支持構造を示す背面図
【図４】第２実施形態のバランスウエイト吊り下げ構造を示し、（イ）は鮎竿を水平に近い姿勢に設定した状態を示す側面図、（ロ）は鮎竿を水平に近い姿勢に設定した状態を示す背面図
【図５】第３実施形態のバランスウエイト吊り下げ構造を示し、（イ）は鮎竿を水平に近い姿勢に設定した状態を示す側面図、（ロ）は鮎竿を縦姿勢に設定した状態を示す側面図、（ハ）は鮎竿を水平に近い姿勢に設定した状態を示す背面図
【図６】第４実施形態のバランスウエイト吊り下げ構造を示し、（イ）は鮎竿を水平に近い姿勢に設定した状態を示す側面図、（ロ）は元竿とバランスウエイト機構との取付け構造を示す縦断側面図、（ハ）は鮎竿を水平に近い姿勢に設定した状態を示す縦断背面図
【図７】第５実施形態のバランスウエイト吊り下げ構造を示し、（イ）は鮎竿を水平に近い姿勢に設定した状態を示す縦断側面図、（ロ）は元竿とバランスウエイト機構との別の取付け構造を示す縦断側面図
【符号の説明】
【００３５】
１            元竿
１Ｅ          握り部
２            バランスウエイト
５ａ          誘導溝
Ｂ            バランスウエイト機構
【図１】
0004627034.tif 000002
【図２】
0004627034.tif 000003
【図３】
0004627034.tif 000004
【図４】
0004627034.tif 000005
【図５】
0004627034.tif 000006
【図６】
0004627034.tif 000007
【図７】
0004627034.tif 000008